(57)【要約】      （修正有）【課題】深紫外線に対する安全性を向上させた紫外線除菌装置を提供する。【解決手段】紫外線除菌装置１０は、深紫外線５４に対する遮蔽性を有し除菌対象物を出し入れ可能に収容する箱体１２と、箱体１２の内部空間２４に深紫外線５４を放射する深紫外線光源と、箱体１２の内部空間２４に可視光５５を放射する高輝度可視光ＬＥＤと、深紫外線光源から深紫外線５４の放射を行うときに高輝度可視光ＬＥＤから可視光５５の放射を行う制御装置１４とを有する。【選択図】図１Ａ
0003232763.tif 000002
【実用新案登録請求の範囲】
【請求項１】
内部空間と外部空間の間で深紫外線に対する遮蔽性を有し除菌対象物を出し入れ可能に収容する箱体と、
前記箱体の前記内部空間に深紫外線を放射する深紫外線光源と、
前記箱体の前記内部空間に可視光を放射する高輝度可視光ＬＥＤと、
前記深紫外線光源から前記深紫外線の放射を行うときに前記高輝度可視光ＬＥＤから前記可視光の放射を行う制御装置と
を有する紫外線除菌装置。
【請求項２】
前記深紫外線光源は深紫外ＬＥＤである請求項１に記載の紫外線除菌装置。
【請求項３】
前記深紫外ＬＥＤと前記高輝度可視光ＬＥＤを共通の基台に並べて搭載した光源モジュールが前記箱体の前記内部空間に配置されている請求項２に記載の紫外線除菌装置。
【請求項４】
前記箱体は壁面が金属板を有し、前記光源モジュールは前記基台が金属板を有し、前記基台の前記金属板を前記箱体の前記壁面の前記金属板に固定して前記光源モジュールを前記箱体に取り付けた構成を有する請求項３に記載の紫外線除菌装置。
【請求項５】
深紫外ＬＥＤと高輝度可視光ＬＥＤを共通の基台に並べて搭載した構成を有する光源モジュール。
【請求項６】
前記基台は鏡面反射板兼放熱板としての機能を有する金属基板を有し、前記深紫外ＬＥＤと前記高輝度可視光ＬＥＤは該金属基板に搭載されている請求項５に記載の光源モジュール。
【請求項７】
前記深紫外ＬＥＤと前記高輝度可視光ＬＥＤが共通のプリント基板に搭載され、該プリント基板が前記金属基板に搭載されている請求項６に記載の光源モジュール。
【請求項８】
前記金属基板は、基部と、該基部を挟んで両側に斜めに立ち上がる羽根部を有し、前記プリント基板は前記基部に搭載されている請求項７に記載の光源モジュール。
【請求項９】
前記プリント基板には、前記深紫外ＬＥＤを複数個直列接続した直列接続回路と、前記高輝度可視光ＬＥＤを複数個直列接続した直列接続回路が構成されている請求項７または８に記載の光源モジュール。
【請求項１０】
１個の前記深紫外ＬＥＤを挟んでその両側に前記高輝度可視光ＬＥＤを隣接配置した構成を有する請求項５から９のいずれか１つに記載の光源モジュール。
【請求項１１】
前記高輝度可視光ＬＥＤは高輝度青色ＬＥＤである請求項４から１０のいずれか１つに記載の光源モジュール。
【考案の詳細な説明】
【技術分野】
【０００１】
この考案は深紫外線を利用した紫外線除菌装置および該紫外線除菌装置に利用可能な光源モジュールに関し、深紫外線に対する安全性を向上させたものである。
【背景技術】
【０００２】
深紫外線（ＵＶ−Ｃ、波長が２００ｎｍ〜２８０ｎｍの不可視光線）を利用した紫外線除菌装置（ウィルスまたは細菌を除菌、殺菌、不活性化する装置をいう）が様々提案されている。例えば、特許文献１には、箱体内に深紫外ＬＥＤを設置し、該箱体内に医療器具等の除菌対象物を出し入れ可能に収容して、深紫外ＬＥＤから放射される深紫外線で除菌対象物の除菌を行う紫外線除菌装置が記載されている。
【０００３】
深紫外線は人の目や皮膚に損傷を及ぼす危険性があるところ、人の目には見えない。このため、使用者は深紫外線を浴びていることに気が付かないまま目や皮膚に損傷を受ける恐れがある。そこで、特許文献１の紫外線除菌装置では、箱体の蓋の開閉を検出する安全スイッチを設けて、蓋が開状態のときは深紫外ＬＥＤから深紫外線から照射されないようにしている。また、箱体の外部に第１の可視光源を設置して、深紫外ＬＥＤから深紫外線が放射されているときのみ第１の可視光源から可視光が放射されるようにして、深紫外ＬＥＤから深紫外線が放射されていることを使用者に報知するようにしている。さらに、箱体の外部に第２の可視光源を設置して、箱体が閉じた状態であるときのみに第２の可視光源から可視光が放射されるようにして、箱体が閉じていることを使用者に報知するようにしている。
【先行技術文献】
【特許文献】
【０００４】
【特許文献１】特開２０１８−１７５５０６号公報
【考案の概要】
【考案が解決しようとする課題】
【０００５】
特許文献１に記載の紫外線除菌装置では、箱体の外部に第１の可視光源を設置して、深紫外ＬＥＤから深紫外線が放射されているときのみ第１の可視光源から可視光が放射されるようにして、深紫外ＬＥＤから深紫外線が放射されていることを使用者に報知するようにしている。しかし、これでは、使用者は箱体外部に設置した第１の可視光源の点灯の意味を事前に知識として理解する必要があり、子供や取扱説明書を読まずに使用する者に対する危険回避対策としては不十分である。
【０００６】
この考案は上述した問題を解決するもので、深紫外線に対する安全性を向上させた紫外線除菌装置および該紫外線除菌装置に利用可能な光源モジュールを提供するものである。
【課題を解決するための手段】
【０００７】
この考案の紫外線除菌装置は、内部空間と外部空間の間で深紫外線に対する遮蔽性を有し除菌対象物を出し入れ可能に収容する箱体と、前記箱体の前記内部空間に深紫外線を放射する深紫外線光源と、前記箱体の前記内部空間に可視光を放射する高輝度可視光ＬＥＤと、前記深紫外線光源から前記深紫外線の放射を行うときに前記高輝度可視光ＬＥＤから前記可視光の放射を行う制御装置とを有するものである。これによれば、高輝度可視光ＬＥＤによる可視光は人の目に眩しさを感じさせるので、使用者に無意識に該可視光から目を遠ざけさせることができ、結果的に深紫外線からも目を遠ざけさせて（いわば深紫外線を高輝度可視光ＬＥＤで模擬的に可視化して、使用者に深紫外線を忌避させる）、深紫外線による危険を回避することができる。なお、１個の高輝度可視光ＬＥＤが放射する可視光の明るさは、例えば、光度が１０００ミリカンデラ以上でかつ光束が０．１ルーメン以上、好ましくは光度が２５００ミリカンデラ以上でかつ光束が０．２４ルーメン以上、より好ましくは光度が５０００ミリカンデラ以上でかつ光束が０．４８ルーメン以上、より好ましくは光度が８０００ミリカンデラ以上でかつ光束が０．７６ルーメン以上に設定することができる。また、１台の紫外線除菌装置で使用する高輝度可視光ＬＥＤの個数は、紫外線除菌装置の箱体の容積や使用する高輝度可視光ＬＥＤの明るさに応じて、人の目に眩しさを感じさせるのに都合がよい適宜の数に設定することができる。
【０００８】
この考案の紫外線除菌装置において、前記深紫外線光源は例えば深紫外ＬＥＤとすることができる。深紫外ＬＥＤが放射する光は他の紫外線光源と異なり可視光成分をほとんど含まないので、深紫外ＬＥＤがオン（点灯）していても、オンしていることを人の目で認識するのが難しく、その分危険性が高い。したがって、深紫外線光源として深紫外ＬＥＤを使用する場合に特にこの考案の有用性は高い。
【０００９】
この考案の紫外線除菌装置は、前記深紫外ＬＥＤと前記高輝度可視光ＬＥＤを共通の基台に並べて搭載した光源モジュールが前記箱体の前記内部空間に配置されているものとすることができる。これによれば、深紫外ＬＥＤと高輝度可視光ＬＥＤを基台に並べて搭載した光源モジュールを箱体の内部空間に配置することにより、この考案の紫外線除菌装置を容易に製作することができる。
【００１０】
この考案の紫外線除菌装置において、前記箱体は壁面が金属板を有し、前記光源モジュールは前記基台が金属板を有し、前記基台の前記金属板を前記箱体の前記壁面の前記金属板に固定して前記光源モジュールを前記箱体に取り付けた構成を有するものとすることができる。これによれば、深紫外ＬＥＤとおよび高輝度可視光ＬＥＤが発する熱を、光源モジュールの基台の金属板から箱体の壁面の金属板に放熱することができる。
【００１１】
この考案の紫外線除菌装置において、前記光源モジュールは、例えば、前記箱体内で相互に対向する壁面にそれぞれ配置されているものとすることができる。これによれば、除菌対象物に対し、両面（表裏または上下または左右）から深紫外線を照射して除菌を行うことができる。
【００１２】
この考案の光源モジュールは、深紫外ＬＥＤと高輝度可視光ＬＥＤを共通の基台に並べて搭載した構成を有するものである。これによれば、深紫外ＬＥＤと高輝度可視光ＬＥＤを同時に点灯することにより、深紫外線を高輝度可視光ＬＥＤ光で模擬的に可視化して、深紫外線による危険を回避することができる。
【００１３】
この考案の光源モジュールにおいて、前記基台は鏡面反射板兼放熱板としての機能を有する金属基板を有し、前記深紫外ＬＥＤと前記高輝度可視光ＬＥＤは該金属基板に搭載されているものとすることができる。これによれば、金属基板は、深紫外ＬＥＤおよび高輝度可視光ＬＥＤを搭載する機能に限らず、深紫外ＬＥＤおよび高輝度可視光ＬＥＤに対して鏡面反射板兼放熱板として機能させることができる。
【００１４】
この考案の光源モジュールは、前記深紫外ＬＥＤと前記高輝度可視光ＬＥＤが共通のプリント基板に搭載され、該プリント基板が前記金属基板に搭載されているものとすることができる。これによれば、深紫外ＬＥＤと高輝度可視光ＬＥＤを共通のプリント基板に搭載することにより、光源モジュールの組み立てが容易になり、かつ光源モジュールをコンパクトに構成することが可能となる。
【００１５】
この考案の光源モジュールにおいて、前記金属基板は、基部と、該基部を挟んで両側に斜めに立ち上がる羽根部を有し、前記プリント基板は前記基部に搭載されているものとすることができる。これによれば、金属基板は、基部にプリント基板を搭載し、羽根部で、深紫外ＬＥＤから放射される深紫外線および高輝度可視光ＬＥＤから放射される高輝度可視光の反射および深紫外ＬＥＤおよび高輝度可視光ＬＥＤが発する熱の放熱を行うことができる。
【００１６】
この考案の光源モジュールにおいて、前記プリント基板には、前記深紫外ＬＥＤを複数個直列接続した直列接続回路と、前記高輝度可視光ＬＥＤを複数個直列接続した直列接続回路が構成されているものとすることができる。これによれば、電源装置が光源モジュールと別体で構成されている場合に、光源モジュールと電源装置を少ない本数の給電ケーブルで接続することができる。
【００１７】
この考案の光源モジュールは、１個の前記深紫外ＬＥＤを挟んでその両側に前記高輝度可視光ＬＥＤを隣接配置した構成を有するものとすることができる。これによれば、深紫外線は、高輝度可視光が放射されている少なくとも２箇所の間の位置から放射されるので、使用者が深紫外線の光源位置を見れば必ず高輝度可視光の光源位置を同時に見ることになり、使用者に高輝度可視光による眩しさを感じさせて、無意識に深紫外線から目を遠ざけさせることができる。
【００１８】
この考案の光源モジュールにおいて、前記高輝度可視光ＬＥＤは例えば高輝度青色ＬＥＤで構成することができる。これによれば、青色光（ブルーライト）は人の目に眩しさを感じさせやすいので、高輝度可視光ＬＥＤとして高輝度青色ＬＥＤを用いることにより、この考案による効果を特に高めることができる。
【図面の簡単な説明】
【００１９】
【図１Ａ】この考案による紫外線除菌装置の実施の形態を示す図で、該紫外線除菌装置の外観構成を、扉を閉じた状態で示す斜視図である。
【図１Ｂ】図１Ａの紫外線除菌装置の外観構成を、扉を開いた状態で示す斜視図である。
【図２Ａ】図１（Ａ〜Ｂ）における光源モジュールの外観構成を示す平面図である。
【図２Ｂ】図１（Ａ〜Ｂ）における光源モジュールの外観構成を示す正面図である。
【図２Ｃ】図１（Ａ〜Ｂ）における光源モジュールの外観構成を示す側面図である。
【図３】図２（Ａ〜Ｃ）光源モジュールが箱体に固定された図１の状態での深紫外ＬＥＤと高輝度可視光ＬＥＤが発する熱の放熱ルートを説明する図である。
【図４】図２（Ａ〜Ｃ）のプリント基板上に構成された回路の回路図である。
【図５Ａ】図１（Ａ〜Ｂ）の箱体内における光源モジュールの配置例１を示す模式正面図である。
【図５Ｂ】図１（Ａ〜Ｂ）の箱体内における光源モジュールの配置例２を示す模式正面図である。
【図５Ｃ】図１（Ａ〜Ｂ）の箱体内における光源モジュールの配置例３を示す模式正面図である。
【図５Ｄ】図１（Ａ〜Ｂ）の箱体内における光源モジュールの配置例４を示す模式正面図である。
【図６】図１（Ａ〜Ｂ）の紫外線除菌装置の制御システム構成を示すブロック図である。
【図７】図１（Ａ〜Ｂ）の電源・制御装置ボックスの操作パネルにおける操作子類および表示器類の配置例を示す図である。
【図８】図６の制御部による制御内容を示すフローチャートである。
【考案を実施するための形態】
【００２０】
この考案の実施の形態を説明する。はじめにこの考案による紫外線除菌装置の機械的構成を説明する。図１Ａ、図１Ｂはこの考案による紫外線除菌装置１０の外観構成を示す。この紫外線除菌装置１０は移動可能な据え置き型として構成されている。壁面、天井等にビス、磁石、両面テープ等で留める固定設置型として構成することもできる。図１Ａは扉１６を閉じた状態を示し、図１Ｂは扉１６を開いた状態を示す。この紫外線除菌装置１０は衣類等の除菌用に好適なように構成したものである。紫外線除菌装置１０は、金属製の箱体１２と、電源および制御装置ボックス１４を有する。箱体１２は衣類を出し入れ可能に収容するロッカー状に構成されている。すなわち、箱体１２は全体として縦長の直方体形状を有し、前面に取り付けられた扉１６により前面の開口部１８が開閉可能とされている。箱体１２の寸法は、この例では、奥行寸法が幅寸法よりも大きく、高さ寸法が奥行き寸法よりも大きい。具体的には、箱体１２の外寸を、高さ１２０ｃｍ、奥行き４６ｃｍ、幅３０ｃｍ等に設定し、その内部空間２４の容積を１５０〜１６０リットル程度に設定することができる。箱体１２の大きさは、除菌対象物の大きさや同時に除菌を行う除菌対象物の数量に応じて適宜設定することができる。
【００２１】
箱体１２は、ここでは、直方体を構成する６面が、鏡面光沢を有するステンレス板でそれぞれ作られている。すなわち、６枚のステンレス板の外周縁部をそれぞれ曲げ加工して各面を構成し、扉１６を除く５面を相互に重なり合う周縁部どうしでリベットまたはビスを用いて連結して直方体形状に組み立てる。各面の曲げ加工された部分がフレーム（骨組み）の機能を果たすので、該直方体形状が強固に維持される。該組み立てた５面の前面の開口部１８に扉１６を上下２個の蝶番２０で開閉可能に取り付ける。このような構造で箱体１２が作られている。箱体１２の６面の材料に０．５ｍｍ厚程度のステンレス板を使用すれば、箱体１２の全体の重量を軽くでき、箱体１２を人の力で容易に移動可能に構成することができる。ステンレス板はその厚み方向について深紫外線に対する遮蔽性を有するので、箱体１２は、内部空間２４と外部空間１９との間で深紫外線に対する遮蔽性を有する。扉１６の前面には扉１６を開くための取っ手２２が取り付けられている。開口部１８には、扉１６を閉じたときに扉１６の裏面が突き当たって扉１６を丁度閉じた位置に停止させる、鉄製の平板棒状部材で構成された突き当て板２１（図１Ｂ）が上下方向に延在して取り付けられている。扉１６の裏面には磁石２３（図１Ｂ）が取り付けられている。扉１６を閉じた図１Ａの状態は、磁石２３が突き当て板２１に吸着することにより保持される。この状態から取っ手２２に手を掛けて引くことにより扉１６を図１Ｂの状態に簡単に開くことができる。
【００２２】
箱体１２の開口部１８には扉１６の開状態、閉状態を検出するマイクロスイッチ等の扉開閉センサ２５が設置されている。扉開閉センサ２５の信号線２７は、箱体１２の背面の膜付グロメット（図示せず）から箱体１２の外部空間１９に引き出されて電源および制御装置ボックス１４に接続されている。箱体１２の下面には四隅に脚２６が取り付けられている。箱体１２は脚２６で床に着地して該床上に自立状態に置かれて使用することができる。電源および制御装置ボックス１４は箱体１２の天板上に載置され、ビス、両面テープ等で該天板上に固定される。電源および制御装置ボックス１４から引き出された給電ケーブル２８は、箱体１２の背面の前記膜付グロメットから箱体１２の内部空間２４に差し込まれて、箱体１２の内部空間２４に設置された光源モジュール３０に接続される。
【００２３】
箱体１２の内部空間２４の上部には、金属パイプ製のハンガー掛け３４が、その両端を、箱体１２の幅方向に対面する２面に固定支持した状態で水平の姿勢で設置されている。ハンガー掛け３４には、除菌対象物である衣類等を掛けたハンガーが吊り下げられる。内部空間２４には、適宜の高さ位置に金属製の簀の子３６が着脱自在に水平の姿勢で設置される。簀の子３６は手袋等の小物を除菌する際に該小物を載置するのに使用される。箱体１２の内部空間２４には複数台の光源モジュール３０が収容されている。図１（Ａ、Ｂ）の例では、内部空間２４に２台の光源モジュール３０が収容され、そのうち１台の光源モジュール３０は内部空間２４の底面３８にビス等で固定設置され、残りの１台の光源モジュール３０は内部空間２４の天井面４０にビス等で固定設置されている。１台の紫外線除菌装置１０に収容する光源モジュール３０の数は、箱体１２の大きさ（内部空間２４の容積）や内部空間２４の形状等に応じて適宜設定することができる。
【００２４】
光源モジュール３０の構成について説明する。図２Ａ、図２Ｂ、図２Ｃは光源モジュール３０の外観構成を示す。図２Ａは平面図、図２Ｂは正面図、図２Ｃは側面図を示す。光源モジュール３０は金属基板４２（基台）にプリント基板４４を搭載した構成を有する。金属基板４２は、ここでは、鏡面光沢を有する長方形状のステンレス板を曲げ加工して構成されている。すなわち、金属基板４２はその面の短手方向の中央部の、長手方向に平行に延びる２本の折り曲げ線で約４５度（図２Ｃ参照）にそれぞれ折り曲げられた形状に形成されている。これにより、金属基板４２には、短手方向中央部の細長矩形状の基部４２ａと、基部４２ａの幅方向両端部から斜め上方に同一角度（ここでは約４５度）で立ち上がる（すなわち、互いに傾斜状態で対向して拡開する）２枚の羽根部４２ｂ，４２ｂ（相互のなす角度は約９０度）が構成されている。基部４２ａおよび２枚の羽根部４２ｂ，４２ｂは側面視（図２Ｃ）で、全体として逆さ富士型（逆台形状）に形成されている。
【００２５】
基部４２ａは、その上面に細長矩形状のプリント基板４４が基部４２ａの長手方向に沿ってねじ止めで搭載され、その下面で箱体１２の内周面（ステンレス板）にねじ止めで固定取り付けされる。図２Ｂに示されているように、基部４２ａには、その長手方向に沿って４個のねじ通し穴４６と、長手方向の両端部付近に２個のねじ通し穴４８がそれぞれ形成されている。ねじ通し穴４６は、プリント基板４４を基部４２ａにねじ止めするためのねじ６６を差し込む穴である。ねじ通し穴４８は、基部４２ａを、箱体１２を構成するステンレス板に直接ねじ止めするためのねじ（図示せず）を差し込む穴である。なお、図２（Ａ〜Ｃ）の例では、基部４２ａを箱体１２に取り付けるためのねじ通し穴４８を基部４２ａの長手方向の両端部近傍にのみ配置しているが、基部４２ａと箱体１２の密着性を良好にして放熱性を高めるために、必要に応じて該長手方向の中央部にもねじ通し穴４８を形成して（合計３〜４個のねじ通し穴４８を設ける）、基部４２ａを箱体１２にねじ止めすることもできる。羽根部４２ｂ，４２ｂは反射板兼放熱板を構成する。基部４２ａは箱体１２を構成するステンレス板の内周面にねじ止めで密着状態に固定されるので、基部４２ａから箱体１２への放熱効果が得られる。
【００２６】
図３は光源モジュール３０が箱体１２に固定された図１の状態での深紫外ＬＥＤ５０および高輝度可視光ＬＥＤ５２が発する熱の放熱ルート５７を太矢印で示す。深紫外ＬＥＤ５０および高輝度可視光ＬＥＤ５２がともにオン（点灯）されて、深紫外ＬＥＤ５０から深紫外線５４が放射され、高輝度可視光ＬＥＤ５２から高輝度可視光５５（ここでは後述するように高輝度青色光）が放射されると、深紫外ＬＥＤ５０および高輝度可視光ＬＥＤ５２が発熱する。この発熱は深紫外ＬＥＤ５０および高輝度可視光ＬＥＤの寿命を縮めるので、放熱する必要がある。深紫外ＬＥＤ５０および高輝度可視光ＬＥＤ５２から発生された熱は、図３に放熱ルート５７で示されているように、プリント基板４４および高熱伝導性絶縁シート６２を介して金属基板４２の基部４２ａに熱伝導され、さらに基部４２ａから２枚の羽根部４２ｂ，４２ｂおよび箱体１２のステンレス製の壁面３７（図１Ａ、図１Ｂの底面３８、天井面４０、側面４１等に該当）に熱伝導されて放熱される。これにより、深紫外ＬＥＤ５０および高輝度可視光ＬＥＤが高温になるのが防止される。
【００２７】
プリント基板４４は耐熱性および高熱伝導性（高放熱性）を有する周知の高熱伝導性プリント基板で構成されている。図２Ａに示されているように、プリント基板４４の上面には、高出力の２個の深紫外ＬＥＤ５０と、各深紫外ＬＥＤ５０を挟んでその両側に隣接する等間隔の位置に配置された各２個（合計４個）の高輝度可視光ＬＥＤ５２が基部４２ａの長手方向に沿って一列に配列されている。深紫外ＬＥＤ５０および深紫外ＬＥＤ５０は、光軸方向をすべて同一方向（プリント基板４４の面に直交する方向）に向けてプリント基板４４に設置されている。４個の高輝度可視光ＬＥＤ５２の相互の配置間隔は等間隔である。プリント基板４４の一端部には、２個の深紫外ＬＥＤ５０と４個の高輝度可視光ＬＥＤ５２に給電する給電ケーブル２８の一端部の給電側コネクタ５６を着脱自在に接続する受電側コネクタ５８が設置されている。給電ケーブル２８の他端部の受電側コネクタ６０は電源および制御装置ボックス１４（図１Ａ、図１Ｂ）の給電端子（図示せず）に着脱自在に接続される。
【００２８】
プリント基板４４は、耐熱性、高熱伝導性（高放熱性）、高密着性を有する高熱伝導性絶縁シート６２（例えば、３Ｍ社製ハイパーソフト放熱シート６５１０Ｈ）を挟んで基部４２ａに取り付けられる。この取り付けは、図２Ｂから理解されるように、基部４２ａに形成された４個のねじ通し穴４６と、各深紫外ＬＥＤ５０を挟んでその両側位置（ねじ通し穴４６に連通する位置）でプリント基板４４および絶縁シートを貫通して形成された４個のねじ通し穴６４をそれぞれ連通させて、該連通した４箇所のねじ通し穴４６，６４に基部４２ａの下面側からねじ６６をそれぞれ差し込んで、プリント基板４４の上面側に突出したねじ６６にナット６８を装着して締め付けることにより行われる。これにより、プリント基板４４が金属基板４２の基部４２ａに取り付けられるとともに、最も熱を発する深紫外ＬＥＤ５０の近傍でプリント基板４４と高熱伝導性絶縁シート６２と金属基板４２の基部４２ａどうしの密着を良好にすることができるので、高熱を発する深紫外ＬＥＤ５０の熱の放熱を良好にすることができる。なお、図２（Ａ〜Ｃ）の例では、光源モジュール３０が深紫外ＬＥＤ５０を２個搭載した例を示したが、これに代えて光源モジュール３０の中央部に深紫外ＬＥＤ５０を１個のみ搭載した構成とすることもできる。あるいは、４個の高輝度可視光ＬＥＤ５２を配置した相互間（３箇所）に深紫外ＬＥＤ５０を１個ずつ合計３個配置し、かつこれら全７個のＬＥＤ５２，５０を等間隔に配置した構成とすることもできる。
【００２９】
深紫外ＬＥＤ５０としては、例えばスタンレー電気社製の高出力深紫外ＬＥＤ「ＺＥＵＢＥ２６５−１ＢＢ−ＴＲ」を使用することができる。この深紫外ＬＥＤが放射する深紫外線は、ピーク発光波長が２６５ｎｍ、光出力が３４ｍＷ、指向角（半値角、半減角）が１２０度である。図２（Ａ〜Ｃ）の光源モジュール３０には深紫外ＬＥＤ５０が２個搭載されているので、全２個の深紫外ＬＥＤ５０の光出力は合計で６８ｍＷである。なお、１台の光源モジュール３０に搭載する深紫外ＬＥＤ５０の数は、２個に限らず、１個または３個以上とすることもできる。
【００３０】
高輝度可視光ＬＥＤ５２はここでは高輝度青色ＬＥＤを使用するものとする。高輝度青色ＬＥＤとしては、例えばOptosupply社製高輝度３ｍｍ砲弾型青色ＬＥＤ「ＯＳＢ５６Ａ３１３１Ａ」を使用することができる。この高輝度青色ＬＥＤは、主波長（ドミナント波長）が４７０ｎｍ、光束値（全光束値）が２．５ルーメン、光度が８４００ミリカンデラ、指向角（半値角、半減角）が３０度である。この高輝度青色ＬＥＤによれば、高輝度の青色光線を放射して、人の目に眩しさを感じさせることができる。図２（Ａ〜Ｃ）の光源モジュール３０には高輝度可視光ＬＥＤ５２が４個搭載されているので、全４個の高輝度可視光ＬＥＤ５２の光束値は合計で１０ルーメンである。なお、１台の光源モジュール３０に搭載する高輝度可視光ＬＥＤ５２の数は、４個に限らず、１個〜３個、または５個以上とすることもできる。
【００３１】
なお、箱体１２内に設置する光源モジュール３０の数は様々に設定することができ、設置する光源モジュール３０の数により箱体１２内で放射する深紫外線の出力の合計値および高輝度可視光ＬＥＤ５２が放射する可視光の光束値の合計値を調整することができる。箱体１２内で全高輝度可視光ＬＥＤ５２が放射する可視光の光束値の合計値は、例えば、５ルーメン以上、または１０ルーメン以上、または２０ルーメン以上、または５０ルーメン以上、または１００ルーメン以上、または２００ルーメン以上等に設定できる。１台の紫外線除菌装置１０に搭載できる深紫外ＬＥＤ５０および高輝度可視光ＬＥＤ５２の個数は、電源および制御装置ボックス１４の電源容量によっても異なるが、試作機では、深紫外ＬＥＤ５０（光出力３５ｍＷ／個）が最小１個（合計の光出力３５ｍＷ）〜最大９個（合計の光出力３１５ｍＷ）、高輝度可視光ＬＥＤ５２（光束値２．５ルーメン／個）が最小２個（合計の光束値５ルーメン）〜最大８４個（合計の光束値２１０ルーメン）であった。
【００３２】
図４は、プリント基板４４上に構成された回路の回路図を示す。プリント基板４４上には、２個の深紫外ＬＥＤ５０の直列接続回路５１と、４個の高輝度可視光ＬＥＤ５２の直列接続回路５３がそれぞれ構成されている。各直列接続回路５１，５３の正負両端子はプリント基板４４に搭載された受電側コネクタ５８に導かれている。
【００３３】
箱体１２内での光源モジュール３０の配置例を図５（Ａ〜Ｄ）に、箱体１２を正面側から見た模式図で示す。図５Ａの配置例１は図１（Ａ〜Ｂ）に示した光源モジュール３０の配置である。すなわち、ここでは、２台の光源モジュール３０を、箱体１２の内部空間２４の底面３８と天井面４０（いずれも、箱体１２を構成するステンレス板の剥き出し面）にビスでそれぞれ固定設置している。１個の深紫外ＬＥＤ５０の光出力が３５ｍＷ、１個の高輝度可視光ＬＥＤ５２の光束値が２．５ルーメンであるとすると、２台の光源モジュール３０の全体で、深紫外ＬＥＤ５０が４個、高輝度可視光ＬＥＤ５２が８個であるから、深紫外線の光出力は１４０ｍＷ、青色光の光束値は２０ルーメンとなる。除菌を行うときは、箱体１２の正面の扉１６を開いて、除菌対象物の衣類７０を掛けたハンガー７２を内部空間２４に差し入れて、ハンガー７２をハンガー掛け３４に掛けて吊し、扉１６を閉じる。この状態で、２台の光源モジュール３０の深紫外ＬＥＤ５０と高輝度可視光ＬＥＤ５２を同時に全部オン（所定の設定時間連続点灯）する（後述する図５Ｂ〜図５Ｄの配置における操作も同じ）。深紫外ＬＥＤ５０から放射される深紫外線５４と高輝度可視光ＬＥＤ５２から放射される高輝度青色光５５は、光源モジュール３０の傾斜した２枚の羽根部４２ｂ，４２ｂで鏡面反射され、また箱体１２の内部空間２４の全壁面（底面３８、天井面４０、側面４１等の全６面、いずれも箱体１２を構成するステンレス板の剥き出し面）で鏡面反射される。その結果、衣類７０には、深紫外ＬＥＤ５０から放射される深紫外線５４が直接照射され、あるいは鏡面反射された深紫外線５４が全方向から照射される。これにより衣類７０は除菌される。
【００３４】
図５Ｂの配置例２は、２台の光源モジュール３０を、箱体１２の内部空間２４の側面４１にビスでそれぞれ固定設置したものである。この配置においても、深紫外ＬＥＤ５０から放射される深紫外線５４と高輝度可視光ＬＥＤ５２から放射される高輝度青色光５５は、光源モジュール３０の２枚の羽根部４２ｂ，４２ｂで鏡面反射され、また箱体１２の内部空間２４の全６面の壁面で鏡面反射される。その結果、衣類７０には、深紫外ＬＥＤ５０から放射される深紫外線５４が直接照射され、あるいは鏡面反射された深紫外線５４が全方向から照射される。これにより衣類７０は除菌される。
【００３５】
図５Ｃの配置例３は、４台の光源モジュール３０を、箱体１２の内部空間２４の底面３８と両側面４１の各コーナー部および天井面４０と両側面４１の各コーナー部にビスでそれぞれ固定設置したものである（例えば羽根部４２ｂでビス止めする）。１個の深紫外ＬＥＤ５０の光出力が３５ｍＷ、１個の高輝度可視光ＬＥＤ５２の光束値が２．５ルーメンであるとすると、４台の光源モジュール３０の全体で、深紫外ＬＥＤ５０が８個、高輝度可視光ＬＥＤ５２が１６個であるから、深紫外線の光出力は２８０ｍＷ、青色光の光束値は４０ルーメンとなる。この配置においても、深紫外ＬＥＤ５０から放射される深紫外線５４と高輝度可視光ＬＥＤ５２から放射される高輝度青色光５５は、光源モジュール３０の２枚の羽根部４２ｂ，４２ｂで鏡面反射され、また箱体１２の内部空間２４の全６面の壁面で鏡面反射される。その結果、衣類７０には、深紫外ＬＥＤ５０から放射される深紫外線５４が直接照射され、あるいは鏡面反射された深紫外線５４が全方向から照射される。これにより衣類７０は除菌される。
【００３６】
図５Ｄの配置例４は、４台の光源モジュール３０を、箱体１２の内部空間２４の側面４１の上下２箇所にビスでそれぞれ固定設置したものである。この配置においても、深紫外ＬＥＤ５０から放射される深紫外線５４と高輝度可視光ＬＥＤ５２から放射される高輝度青色光５５は、光源モジュール３０の２枚の羽根部４２ｂ，４２ｂで鏡面反射され、また箱体１２の内部空間２４の全６面の壁面で鏡面反射される。その結果、衣類７０には、深紫外ＬＥＤ５０から放射される深紫外線５４が直接照射され、あるいは鏡面反射された深紫外線５４が全方向から照射される。これにより衣類７０は除菌される。
【００３７】
図６は紫外線除菌装置１０の制御システム構成を示す。電源および制御装置ボックス１４内には、電源部７４と制御基板７６が収容されている。電源部７４は１００Ｖ商用交流電圧を２４Ｖ直流電圧に変換し、制御基板７６に電力を供給する。制御基板７６には制御部７８、入力回路８０、出力回路８２が搭載されている。入力回路８０には、扉開閉センサ２５の扉開閉状態検出信号および電源および制御装置ボックス１４の操作パネルに設置された各種操作子類８４の操作信号が入力される。出力回路８２からは、電源および制御装置ボックス１４の操作パネルに設置された各種表示器類（表示ランプ、警報ブザー等）８６の駆動信号および光源モジュール３０の駆動信号が出力される。光源モジュール３０の駆動信号（深紫外ＬＥＤ５０および高輝度可視光ＬＥＤ５２の駆動信号）は、全部の光源モジュール３０に対し同時かつ並列的に出力される。また、個々の光源モジュール３０の駆動信号は、深紫外ＬＥＤ５０の駆動信号と高輝度可視光ＬＥＤ５２の駆動信号が同時かつ並列的に出力される。したがって、１台の紫外線除菌装置１０において、全部の光源モジュール３０の全部の深紫外ＬＥＤ５０と全部の高輝度可視光ＬＥＤ５２は常に同時にオン（点灯）、オフ（消灯）される。制御部７８は扉開閉センサ２５の扉開閉状態検出信号および各種操作子類８４の操作信号および内部のタイマーの時間計測信号に基づき、ロジック回路により出力回路８２から出力する光源モジュール３０の駆動信号および表示器類８６の駆動信号の出力制御を行う。
【００３８】
電源および制御装置ボックス１４の操作パネルにおける操作子類および表示器類（図６の操作子類８４および表示器類８６に相当）の配置例を図７に示す。電源および制御装置ボックス１４の前面の操作パネル８８には、操作子類として電源スイッチ９０（ロッカースイッチ）、スタートスイッチ９２（自動復帰型押しボタンスイッチまたはメンブレンスイッチ）、停止スイッチ９４（自動復帰型押しボタンスイッチまたはメンブレンスイッチ）が設置されている。電源スイッチ９０の上方には電源オン状態を緑色光等で小さく表示する電源オンランプ９１が隣接して配置されている。スタートスイッチ９２と停止スイッチ９４の操作面は混同を避けるため色分けされている。また、操作パネル８８には、表示器類として稼働中ランプ９６と完了ランプ９８が設置されている。稼働中ランプ９６と完了ランプ９８は混同を避けるため、例えば稼働中ランプ９６が赤色灯、完了ランプ９８が緑色灯に色分けされている。このほか、電源および制御装置ボックス１４内には、ブザー９９が設置されている。なお、深紫外ＬＥＤ５０と高輝度可視光ＬＥＤ５２を連続駆動する時間（除菌時間）は電源および制御装置ボックス１４内のディップスイッチで例えば１分単位で１分〜１０分の任意の時間に設定することができる。ただし、操作パネル８８上のスイッチ操作で除菌時間を設定できるように構成することもできる。
【００３９】
図８は、図６の制御部７８による制御フローを示す。このフローに基づき紫外線除菌装置１０の動作を説明する。この制御は、扉１６が閉じた状態でないと深紫外ＬＥＤ５０および高輝度可視光ＬＥＤ５２をオンできない（スタートスイッチ９２のオン操作が有効とされない）ように設計されており、基本的に紫外線に対する安全は確保されている。なお、図８では、稼働中ランプ９６を「赤ランプ」、完了ランプ９８を「緑ランプ」と表示している。電源スイッチ９０をオンすると（Ｓ１）、タイマーがリセットされて除菌時間の計測が停止した状態が維持され、深紫外ＬＥＤ５０および高輝度可視光ＬＥＤ５２の駆動は停止された状態が維持される。稼働中ランプ９６および完了ランプ９８は当初は消灯した状態となる（Ｓ２）。電源オンランプ９１は点灯する。
【００４０】
この状態で扉１６の開閉状態が検出される（Ｓ３）。そして、扉が開状態であるときは稼働中ランプ９６が連続点灯し（Ｓ４）、使用者は扉１６が開状態であることを知ることができる。扉１６が開状態のときはスタートスイッチ９２をオンしても深紫外ＬＥＤ５０および高輝度可視光ＬＥＤ５２の駆動は停止されたままであり、除菌作業は開始されない。扉１６が閉状態であるときは稼働中ランプ９６は消灯したままとなり（Ｓ５）、スタートスイッチ９２の操作が有効となる。この状態でスタートスイッチ９２を押すと（Ｓ６）、タイマーによる除菌時間の計測がスタートし、設定された除菌時間が開始される。除菌時間の開始により、深紫外ＬＥＤ５０および高輝度可視光ＬＥＤ５２が同時にオン（連続点灯）され、稼働中ランプ９６が点滅する（Ｓ７）。稼働中ランプ９６が点滅することにより、使用者は深紫外線による除菌作業が行われていることを知ることができる。除菌作業中はスタートスイッチ９２を再度押しても無視される。
【００４１】
除菌作業中に停止スイッチ９４を押すと（Ｓ８）、タイマーによる除菌時間の計測が停止され、深紫外ＬＥＤ５０および高輝度可視光ＬＥＤ５２が同時にオフ（消灯）して除菌作業が停止する。同時に、稼働中ランプ９６および完了ランプ９８がともに点滅し、ブザー９９が連続して鳴らされる（Ｓ９）。稼働中ランプ９６および完了ランプ９８がともに点滅することにより、使用者は除菌作業が停止されたことを知ることができる。また、ブザー９９が連続して鳴らされることにより、使用者は除菌作業が停止されたことを音でも知ることができる。停止スイッチ９４が押された後は制御が終了するまで、スタートスイッチ９２を押しても深紫外ＬＥＤ５０および高輝度可視光ＬＥＤ５２の駆動を再開させることはできない。稼働中ランプ９６および完了ランプ９８は１秒間隔で５回点滅した後、消灯する。また、ブザー９９は５秒間連続して鳴った後、発音を停止する。稼働中ランプ９６および完了ランプ９８が消灯し、かつブザー９９の発音が停止した後、制御が終了する（Ｓ１０）。制御が終了した後、スタートスイッチ９２を押すと、制御を最初から再開することができる。
【００４２】
一方、除菌作業中に扉１６を開くと（Ｓ１１）、タイマーによる除菌時間の計測が一時停止し、深紫外ＬＥＤ５０および高輝度可視光ＬＥＤ５２が同時にオフして除菌作業が一時停止する。同時に、稼働中ランプ９６が連続点灯するとともに、ブザー９９が０．５秒間隔で間欠的に鳴らされる（Ｓ１２）。稼働中ランプ９６が連続点灯し（完了ランプ９８は消灯したまま）、かつブザー９９が０．５秒間隔で間欠的に鳴らされることにより、使用者は除菌作業中に自らまたは誰かが扉１６を開いたことを知ることができる。ブザー９９の発音は１０秒程度で（またはそれ以前に扉１６が閉じられたときは扉１６が閉じられたときに）停止する。稼働中ランプ９６は扉１６が閉じられるまで連続点灯したままである。その後、扉１６が閉じられると（Ｓ１３）、タイマーによる除菌時間の計測が、一時停止した計数値から再開され、深紫外ＬＥＤ５０および高輝度可視光ＬＥＤ５２が同時にオンして除菌作業が再開され、稼働中ランプ９６の点滅が再開される（Ｓ１４）。
【００４３】
その後、除菌作業が進行し、設定された除菌時間が終了すると（Ｓ１５）、タイマーによる除菌時間の計測が停止し、深紫外ＬＥＤ５０および高輝度可視光ＬＥＤ５２がオフして除菌作業が終了する。同時に、稼働中ランプ９６が消灯し、完了ランプ９８の点滅が開始され、ブザー９９が完了ランプ９８の点滅に同期して間欠的に鳴らされる。完了ランプ９８は点滅を１秒間隔で５回繰り返した後、連続点灯される。ブザー９９は５回間欠的に鳴った後、発音を停止する（Ｓ１６）。その後、扉１６を開くと（Ｓ１７）、完了ランプ９８は連続点灯を終了して消灯し（Ｓ１８）、制御を終了する（Ｓ１０）。制御が終了した後、スタートスイッチ９２を押すと、制御を最初から開始することができる。
【００４４】
以上のように、紫外線除菌装置１０によれば、通常の動作では、扉１６が閉じているときのみ深紫外線が放射され、扉１６が開いているときは深紫外線は放射されないので基本的に安全は確保されている。しかし、扉開閉センサ２５が故障したときや、使用者が無理に扉開閉センサ２５の機能を解除して（扉１６が開状態であるにもかかわらず、閉状態が検出されるようにする状態）スタートスイッチ９２を押したとき、あるいは除菌作業中に扉１６を開いて深紫外ＬＥＤ５０および高輝度可視光ＬＥＤ５２が同時にオフして除菌作業が一時停止した状態で使用者が無理に扉開閉センサ２５の機能を解除したときは、扉１６が開状態であるにもかかわらず、深紫外線の放射が停止されない状態が起こりうる。また、深紫外ＬＥＤ５０の動作を確認するために、扉１６が開いた状態でも深紫外ＬＥＤ５０を強制的にオンできる機能を搭載する場合もありうる。扉１６が開いた状態で深紫外ＬＥＤ５０がオン（高輝度可視光ＬＥＤ５２もオン）すると、深紫外ＬＥＤ５０および高輝度可視光ＬＥＤ５２の光源は直接、または箱体１２の内壁面や光源モジュール３０の羽根部４２ｂの表面（ともに鏡面）で反射した像として扉１６の開口部１８を通して視認することができる。このような場合でも、高輝度可視光ＬＥＤ５２から放射される高輝度可視光により使用者に眩しさを感じさせるので、該使用者に無意識に該可視光から目を遠ざけさせて、結果的に深紫外線からも目を遠ざけさせることができ、目等の人体へ危険が及ぶのを回避することができる。
【００４５】
《変形例》
この考案の紫外線除菌装置に使用する深紫外線光源は深紫外ＬＥＤに限らない。すなわち、蛍光灯型殺菌灯、水銀灯、エキシマランプ等の深紫外線光源を用いることもできる。また、この考案の紫外線除菌装置は深紫外線光源と高輝度可視光ＬＥＤが光源モジュールとして組付け部品化されているものに限らない。また、この考案の紫外線除菌装置において、高輝度可視光ＬＥＤは高輝度青色ＬＥＤに限らない。使用者に眩しさを感じさせる他の有色可視光（赤色、紫色等の白色以外の可視光）または白色光を放射する高輝度可視光ＬＥＤを使用することもできる。また、単色でなく、複数色を混在させることもできる。また、この考案の紫外線除菌装置は、衣類のほか、食品、マスク等の医療用品、医療器具、金属製品、プラスチック製品等の除菌に使用するように構成することもできる。また、この考案の光源モジュールは、除菌以外の深紫外線の用途（工業用途等）に使用するように構成することもできる。
【符号の説明】
【００４６】
１０…紫外線除菌装置、１２…箱体、１４…電源および制御装置ボックス（制御装置）、１６…扉、１８…開口部、１９…外部空間、２０…蝶番、２１…突き当て板、２２…取っ手、２３…磁石、２４…内部空間、２５…扉開閉センサ、２６…脚、２７…信号線、２８…給電ケーブル、３０…光源モジュール、３４…ハンガー掛け、３６…簀の子、３７…箱体の壁面（底面、天井面、側面等）、３８…内部空間の底面（壁面）、４０…内部空間の天井面（壁面）、４１…内部空間の側面（壁面）、４２…金属基板（基台、鏡面反射板兼放熱板）、４２ａ…基部、４２ｂ…羽根部、４４…プリント基板、４６…ねじ通し穴、４８…ねじ通し穴、５０…深紫外ＬＥＤ（深紫外線光源）、５１…深紫外ＬＥＤの直列接続回路、５２…高輝度青色ＬＥＤ（高輝度可視光ＬＥＤ）、５３…高輝度可視光ＬＥＤの直列接続回路、５４…深紫外線、５５…高輝度青色光（高輝度可視光）、５６…給電側コネクタ、５７…放熱ルート、５８…受電側コネクタ、６０…受電側コネクタ、６２…高熱伝導性絶縁シート、６４…ねじ通し穴、６６…ねじ、６８…ナット、７０…除菌対象物の衣類、７２…ハンガー、７４…電源部、７６…制御基板、７８…制御部、８０…入力回路、８２…出力回路、８４…操作子類、８６…表示器類、８８…操作パネル、９０…電源スイッチ、９１…電源オンランプ、９２…スタートスイッチ、９４…停止スイッチ、９６…稼働中ランプ、９８…完了ランプ、９９…ブザー
【図１Ａ】
0003232763.tif 000003
【図１Ｂ】
0003232763.tif 000004
【図２Ａ】
0003232763.tif 000005
【図２Ｂ】
0003232763.tif 000006
【図２Ｃ】
0003232763.tif 000007
【図３】
0003232763.tif 000008
【図４】
0003232763.tif 000009
【図５Ａ】
0003232763.tif 000010
【図５Ｂ】
0003232763.tif 000011
【図５Ｃ】
0003232763.tif 000012
【図５Ｄ】
0003232763.tif 000013
【図６】
0003232763.tif 000014
【図７】
0003232763.tif 000015
【図８】
0003232763.tif 000016